(57)【要約】【課題】液体容器の容器本体内部を短時間で効率よく確実に洗浄できる容器洗浄装置を提供すること。【解決手段】保護用函体１内にプラスチック製の液体取出口２ｏ付き容器本体２を収納してなる液体容器３の容器本体２内部を洗浄する容器洗浄装置であって、  作業床部６と左右側壁部７，８と後側壁部９と天井部１０と前面側出入口１１とからなるクリーンブース４を設け、作業床部６には、床部６上面から垂直上向きに所要高さ突出して先端ノズルヘッド１５ａからイオンを含む清浄なエアを噴射させる静電ブローノズル１５を設けると共に、このノズル１５を囲繞して床部６上面に近い位置でノズル１５周囲に環状の吸引排出口１６ａを形成する洗浄済みエア吸引排出管１６を設け、クリーンブース４内の上部側にはイオン放出口１２ａ及び清浄エア放出口１３ａを設ける。【選択図】図２
2009297598.tif 000002
【特許請求の範囲】
【請求項１】
金属又は段ボール製の保護用函体内に合成樹脂製の液体取出口付き容器本体を収納してなる液体容器の容器本体内部を洗浄する容器洗浄装置であって、
作業床部と左右側壁部と後側壁部と天井部と前面側出入口とからなるクリーンブースを設け、作業床部には、床部上面から垂直上向きに所要高さ突出して先端ノズルヘッドからイオンを含む清浄なエアを噴射させる静電ブローノズルを設けると共に、このノズルを囲繞して床部上面に近い位置でノズル周囲に環状の吸引排出口を形成する洗浄済みエア吸引排出管を設け、クリーンブース内の上部側にはイオン放出口及び清浄エア放出口を設け、しかして容器本体の洗浄にあたり、イオン放出口及びエア放出口からクリーンブース内にイオン及び清浄エアを供給しながら、作業床部上に液体容器を上下逆様に載置して、容器本体の液体取出口から静電ブローノズルを突入させると共に、液体取出口に前記吸引排出口を連通させるようにした容器洗浄装置。
【請求項２】
作業床部上には、上下逆様にした液体容器を載置する時に、液体容器を所定位置に位置決めして静電ブローノズルが容器本体の液体取出口に突入するように案内する容器案内手段を設けた請求項１に記載の容器洗浄装置。
【発明の詳細な説明】
【技術分野】
【０００１】
本発明は、金属又は段ボール製の保護用函体内に合成樹脂製の液体取出口付き容器本体を収納してなる液体容器の容器本体内部を洗浄する容器洗浄装置に関するもので、容器本体には液体状の各種飲食品や各種工業用材料等が収容される。
【背景技術】
【０００２】
図５は、金属製の保護用函体１内に合成樹脂製の液体取出口２ｏ付き容器本体２を収納してなる液体容器３を示す。容器本体２は、図６に示すように、略角筒状の周壁部２ａと液体取出口２ｏを有する上壁部２ｂと底壁部２ｃとからなるブロー成型品で、周壁部２ａの厚みが例えば０．６〜１．２ｍｍ程度と薄く形成されていることから、液体を収容して搬送する際に破れて内容液が漏れるのを防止するために、金属（又は段ボール）製の保護用函体１に収納されるようになっている。
【０００３】
容器本体２を金属製の保護用函体１に収納するには、図６に示すように、周壁部１ａと底壁部１ｃとからなる上端が開口した本体部１ａｃに容器本体２を嵌挿収納し、その後に容器本体２の液体取出口２ｏと対応する位置に開口部１ｏを形成した上壁材１ｂ′を本体部１ａｃの上端開口部に被せ、容器本体２の液体取出口２ｏを上壁材１ｂ′の開口部１ｏから僅かに突出させた状態とし、この状態で上壁材１ｂ′の周縁部を本体部１ａｃの周壁部１ａの上端周縁部に対しカシメ加工することによって、図５に示すように、周壁部１ａと底壁部１ｃと上壁部１ｂとからなる保護用函体１を形成すると同時に、保護用函体１内に容器本体２を収納した液体容器３を形成する。
【０００４】
ところで、近年では、容器本体２に液体状工業用材料として例えば液晶ディスプレイの製造に使用される液晶材を収容することがあるが、この液晶材に微小ゴミなどの不純物が混入すると、製品の精度が悪化するため、容器本体２への液体の詰め込みにあたっては、容器本体２の内部を十分に洗浄しておく必要がある。
【０００５】
従来、容器本体２の内部を洗浄するのに、例えば、容器本体２内に洗浄液を入れて洗浄した後、温風を吹き込ませて乾燥するといったきわめて簡単な方法を採用していた。
【発明の開示】
【発明が解決しようとする課題】
【０００６】
上記のような洗浄方法では、洗浄するのに時間がかかる上に、温風を吹き込む際に空気中に浮遊する微小ゴミ（繊維、綿埃など）が容器本体２内に混入し易いため、効果的な洗浄が行えなかった。
【０００７】
本発明は、上記の事情に鑑み、液体容器の容器本体内部を短時間で効率よく確実に洗浄できる容器洗浄装置を提供することを目的としている。
【課題を解決するための手段】
【０００８】
上記課題を解決するための手段を、後述する実施形態の参照符号を付して説明すると、請求項１に係る発明は、金属又は段ボール製の保護用函体１内に合成樹脂製の液体取出口２ｏ付き容器本体２を収納してなる液体容器３の容器本体２内部を洗浄する容器洗浄装置であって、
作業床部６と左右側壁部７，８と後側壁部９と天井部１０と前面側出入口１１とからなるクリーンブース４を設け、作業床部６には、床部６上面から垂直上向きに所要高さ突出して先端ノズルヘッド１５ａからイオンを含む清浄なエアを噴射させる静電ブローノズル１５を設けると共に、このノズル１５を囲繞して床部６上面に近い位置でノズル１５周囲に環状の吸引排出口１６ａを形成する洗浄済みエア吸引排出管１６を設け、クリーンブース４内の上部側にはイオン放出口１２ａ及び清浄エア放出口１３ａを設け、しかして容器本体２の洗浄にあたり、イオン放出口１２ａ及びエア放出口１３ａからクリーンブース４内にイオン及び清浄エアを供給しながら、作業床部６上に液体容器３を上下逆様に載置して、容器本体２の液体取出口２ｏから静電ブローノズル１５を突入させると共に、液体取出口２ｏに前記吸引排出口１６ａを連通させるようにしたことを特徴とする。
【０００９】
請求項２は、請求項１に記載の容器洗浄装置において、作業床部６上には、上下逆様にした液体容器３を載置する時に、液体容器３を所定位置に位置決めして静電ブローノズル１５が容器本体２の液体取出口２ｏに突入するように案内する容器案内手段２０を設けたことを特徴とする。
【発明の効果】
【００１０】
上記解決手段による発明の効果を、後述する実施形態の参照符号を付して説明すると、請求項１に係る発明によれば、イオン放出口１２ａ及びエア放出口１３ａからクリーンブース４内にイオン及び清浄エアを供給しながら清浄な環境の中で液体容器３の洗浄作業を行うから、作業中に容器本体２内にゴミが侵入するのを極力防止できる。そして、洗浄作業は、作業床部６上に液体容器３を上下逆様に載置して、容器本体２の液体取出口２ｏから静電ブローノズル１５を突入させると共に、液体取出口２ｏに吸引排出口１６ａを連通させた状態で、静電ブローノズル１５の先端ノズルヘッド１５ａからイオンを含む清浄なエアを噴射させることにより、容器本体２の内側面に付着していたり、容器本体２内部を浮遊する＋電荷又は−電荷を帯びた微小ゴミ等が互いに逆極性のイオンによって中和されて下方に落下する状態となり、しかして落下状態のゴミは、洗浄済みエア吸引排出管１６の吸引排出口１６ａに吸引排出されるエアによって吸引排出口１６ａから外部に排出される。従って、体容器の容器本体内部を短時間で効率よく確実に洗浄することができる。
【００１１】
請求項２に係る発明によれば、容器案内手段２０を設けたことにより、液体容器３を作業床部６上の所定位置に容易に位置決めできて、静電ブローノズル１５を容器本体２の液体取出口２ｏに的確に突入させることができる。
【発明を実施するための最良の形態】
【００１２】
以下に本発明の好適な一実施形態を図面に基づいて説明すると、図１は本発明に係る容器洗浄装置を示す全体外観斜視図、図２の(a) は同容器洗浄装置の正面図、(b) は(a) のＸ−Ｘ線断面図、図３は図２の(b) の概ねＹ−Ｙ線に沿った断面図、図４は同容器洗浄装置の使用状態を示す要部縦断面図である。この容器洗浄装置は、図１から分かるように、上段側が洗浄作業を行うクリーンブース４を形成し、下段側が装置架台５を形成する。
【００１３】
クリーンブース４は、作業床部６と、左右側壁部７，８と、後側壁部９と、台形状の天井部１０と、前面側出入口１１とからなる。クリーンブース４内の上部側、即ち天井部１０の下面側にはイオン放出口１２ａを有するイオン発生器１２及び清浄エア放出口１３ａが設けられ、天井部１０の上部には清浄な圧縮エアを発生するエアフィルター付き清浄エア発生器１３が設置されている。左右側壁部７，８、後側壁部９及び台形状天井部１０は、ステンレス製のブース枠体１４に、夫々プラスチック製の透明な左右側板７ａ，８ａ、後側板９ａ及び天井板１０ａを取り付けてなるものである。これら透明な左右側板７ａ，８ａ、後側板９ａ及び天井板１０ａとしては、例えばポリカーボネートが使用される。尚、イオン発生器１２で発生するイオンは、内部に設けられたファン（図示省略）によってイオン放出口１２ａから放出されるようになっている。
【００１４】
クリーンブース４の作業床部６は、左右方向中央側に位置する主作業床部６ａと、この主作業床部６ａの左右両側に位置する副作業床部６ｂ，６ｃとからなるもので、主作業床部６ａはステンレスの平板によって形成され、両側の副作業床部６ｂ，６ｃは夫々ステンレスの網状（メッシュ状）体で形成されていて、その一方の副作業床部６ｂ上には未処理の液体容器３を液体取出口が上を向いた通常姿勢で載置して待機させ、中央の主作業床部６ａ上には洗浄すべき液体容器３を上下逆様に載置して容器本体２の内部を洗浄処理し、他方の副作業床部６ｃ上には主作業床部６ａ上で容器本体２内部の洗浄処理を終えた洗浄澄み容器本体２を通常姿勢に戻して載置するようになっている。
【００１５】
尚、作業床部６は、装置架台５の天板を兼ねるもので、各網状の副作業床部６ｂ，６ｃを通過した塵等は下方の装置架台５内に落下するようになっている。
【００１６】
図２〜図４に示すように、作業床部６の主作業床部６ａにはその所定箇所に、床部６ａ上面から垂直上向きに所要高さ突出して先端のノズルヘッド１５ａからイオンを含む清浄なエアを噴射させる静電ブローノズル１５が設けられると共に、この静電ブローノズル１５を囲繞して主作業床部６ａ上面に近い位置で静電ブローノズル１５の周囲に環状の吸引排出口１６ａを形成する洗浄済みエア吸引排出管１６が設けられている。この環状吸引排出口１６ａは、図４から分かるように、その内径が容器本体２の液体取出口２ｏの外径よりも大きく形成されている。
【００１７】
静電ブローノズル１５は、先端のノズルヘッド１５ａから、イオンを含む清浄なエアが図４に示すように上向きに噴射されるようになっている。図示は省略するが、装置架台５の下方には、クリーンブース４の天井部１０に設けられたイオン発生器１２及び清浄エア供給器１３と同じようなイオン発生器及び清浄エア供給器を設けて、イオン発生器からのイオンを、静電ブローノズル１５を通じて先端のノズルヘッド１５ａに供給しながら、清浄エア供給器から供給される清浄エアを、静電ブローノズル１５内に挿通したエア供給管１５ｂによってノズルヘッド１５ａからイオンと共に噴射させるようにしたものである。また、図３に概略示すように、洗浄済みエア吸引排出管１６の基端部にはフィルター付き吸引ファン１７を介して吸引ホース１８が接続され、この吸引ホース１８の基端部にゴミ収集袋１９が着脱自在に取り付けられるようになっている。
【００１８】
この静電ブローノズル１５の使用にあたって、主作業床部６ａ上に液体容器３をセットするには、図４に示すように、保護用函体１内に容器本体２を収納してなる液体容器３を上下逆様の状態で主作業床部６ａ上に配置しながら、静電ブローノズル１５を容器本体２の液体取出口２ｏから内部に突入させると共に、図４に示すように、液体取出口２ｏを洗浄済みエア吸引排出管１６の吸引排出口１６ａ内に突入させ、しかして吸引排出口１６ａの開口端部を、図４に示すように保護用函体１の上壁部１ｂの開口部１ｏ周辺の環状凹窪部１ｂｏ（図５参照）に係合させることによって吸引排出口１６ａを容器本体２の液体取出口２ｏ的確に連通させることができる。
【００１９】
また、主作業床部６ａ上への液体容器３のセットにあたっては、主作業床部６ａ上に設けられた容器案内手段２０によって、そのセットを的確に行うことができる。すなわち、この容器案内手段２０は、図２の(a) ，(b) に示すように、保護用函体１の周壁部１ａの三つの側壁面１ａａ（図５参照）を同時に支持する３本のガイド支柱２１，２２，２３と、他の一つの側壁面１ａａを支持するガイド壁２４とからなるもので、クリーンブース４の前面側出入口１１寄りにあるガイド支柱２１は高さが低く、後側壁部９寄りにある２本のガイド支柱２２，２３は高さが高く形成されている。
【００２０】
従って、この容器案内手段２０による時は、液体容器３を、図３の仮想線図示のように上下逆様の状態でしかもその上端部側を前面側出入口１１寄りに傾けた状態で３本のガイド支柱２１，２２，２３とガイド壁２４との間に挿入してゆくことにより、これらのガイド支柱２１，２２，２３とガイド壁２４とで保護用函体１の周壁部１ａの４側壁面１ａａを支持されるので、静電ブローノズル１５が容器本体２の液体取出口２ｏに適正に突入するように液体容器３を主作業床部６ａ上の所定位置に的確に位置決めできる。この場合、前面側出入口１１寄りにあるガイド支柱２１の高さが後側壁部９寄りの２本のガイド支柱２２，２３よりも低くため、挿入操作がし易くなる。尚、容器案内手段２０は、静電ブローノズル１５を容器本体２の液体取出口２ｏに適正に突入させる構造であれば、この実施形態の構造に限ることはない。
【００２１】
上記のような構成よりなる容器洗浄装置の使用方法及びその作用について説明すると、先ず、クリーンブース４内の上部側に設けられたイオン放出口１２ａ及び清浄エア放出口１３ａからイオン及び清浄エアを供給して、クリーンブース４の内部を清浄化する。すなわち、イオン発生器１２で発生してイオン放出口１２ａから放出されるイオンは、＋イオンと−イオンとからなるもので、クリーンブース４内に浮遊する＋電荷又は−電荷を帯びた微小ゴミが互いに逆極性のイオンによって中和され、中和したゴミは下方に落下しながら、清浄エア放出口１３ａから吹き出される清浄エアによってクリーンブース４の前面側出入口１１から外部へ排出され、また作業床部６の網状副作業床部６ｂ，６ｃからその下方へ落下排出され、これが連続して行われることにより、クリーンブース４の内部は常に清浄化された状態となる。
【００２２】
上記のようにイオン及び清浄エアが供給されているクリーンブース４内に、図５に示すように保護用函体１内に容器本体２が収納された液体容器３を、液体取出口２ｏを上に向けた通常姿勢で前面側出入口１１より持ち込んで副作業床部６ｂ上に載置し、イオン放出口１２ａ及び清浄エア放出口１３ａから放出されるイオン及び清浄エアによって液体容器３の外表面部を洗浄する。こうして外表面部を洗浄した液体容器３を、今度は液体取出口２ｏを上に向けた上下逆様の姿勢で主作業床部６ａ上の所定位置に載置して、静電ブローノズル１５を容器本体２の液体取出口２ｏから内部に突入させると共に、容器本体２の液体取出口２ｏを洗浄済みエア吸引排出管１６の吸引排出口１６ａに連通させ、図４に示すような状態にセットする。
【００２３】
こうして液体容器３を主作業床部６ａの上にセットした状態で静電ブローノズル１５の先端ノズルヘッド１５ａからイオンを含む清浄なエアを噴射させると、容器本体２の内周面等に付着していたり、容器本体２内部を浮遊する＋電荷又は−電荷を帯びた微小ゴミ等が互いに逆極性のイオンによって中和されて、下方に落下する状態となり、しかして落下状態のゴミは、図４に示すように、洗浄済みエア吸引排出管１６の吸引排出口１６ａに吸引排出されるエアによって吸引排出口１６ａから外部に排出される。この静電ブローノズル１５による静電ブローのブロー時間は１個の液体容器３につき例えば２０秒とされる。これによって、液体容器３における容器本体２の内部洗浄をほとんど完璧な状態に行うことができる。この静電ブローノズル１５による容器本体２の内部洗浄中も、液体容器３の外表面部はイオン放出口１２ａ及び清浄エア放出口１３ａから放出されるイオン及び清浄エアで洗浄される。
【００２４】
尚、吸引排出口１６ａから吸引されるエアによって洗浄済みエア吸引排出管１６に排出されたゴミは、図３に示すようにゴミ袋１９に収集され、このゴミ袋１９にある程度のゴミが溜まれば、取り外して廃棄されるようになっている。
【００２５】
上記のようにして１個の液体容器３の洗浄処理が終了すれば、その洗浄済み容器本体２を上下逆様の状態から正常姿勢に戻してそのまま副作業床部６ｃにしばらく載置した後、その洗浄済み容器本体２を副作業床部６ｃから引き上げ、そして図示は省略するが、このクリーンブース４内において容器本体２の液体取出口２ｏに中栓を嵌めた状態で、クリーンブース４から他の容器保管場所へ移送する。また、作業床部６の主作業床部６ａ上には副作業床部６ｂからの未処理液体容器３がセットされて、その容器本体２内部の洗浄処理が行われる。
【００２６】
以上説明したように、この発明の容器洗浄装置によれば、液体容器３の容器本体２の内部を短時間で効率よく確実に洗浄することができる。
【図面の簡単な説明】
【００２７】
【図１】本発明に係る容器洗浄装置を示す全体外観斜視図である。
【図２】(a) は同容器洗浄装置の正面図、(b) は(a) のＸ−Ｘ線断面図である。
【図３】図２の(b) の概ねＹ−Ｙ線に沿った断面図である。
【図４】同容器洗浄装置の使用状態を示す要部縦断面図である。
【図５】金属製保護用函体内にプラスチック製容器本体を収納してなる液体容器を示す斜視図である。
【図６】プラスチック製容器本体を金属製保護用函体内に収納する前の状態を示す分解斜視図である。
【符号の説明】
【００２８】
１              保護用函体
２              容器本体
２ｏ            液体取出口
３              液体容器
４              クリーンブース
６              クリーンブースの 作業床部
７，８          クリーンブースの左右側壁部
９              クリーンブースの後側壁部
１０            天井部
１１            前面側出入口
１５            静電ブローノズル
１５ａ          ノズルヘッド
１６            洗浄済みエア吸引排出管
１６ａ          吸引排出口
【図１】
2009297598.tif 000003
【図２】
2009297598.tif 000004
【図３】
2009297598.tif 000005
【図４】
2009297598.tif 000006
【図５】
2009297598.tif 000007
【図６】
2009297598.tif 000008